(57)【特許請求の範囲】
【請求項１】
カウンタートップの開口内に落とし込み状態に収容されるコンロ本体の上方域をトッププレートによって被覆し、前記トッププレートの上面側に加熱部を配置したドロップインコンロにおいて、前記トッププレートの周壁の一部又は全部を内壁と外壁とからなる二重壁とし、前記二重壁のうちの内壁はその下端がカウンタートップに接すると共に前記下端よりも上方にて開口する空気口部を有する一方、前記外壁は無開口とし、前記内壁と外壁との間には、少なくとも前記空気口部の配置部の範囲に亙って所定の間隙が設けられると共に、前記外壁の下端はカウンタートップとの間には所定の間隙を設けると共に、前記各間隙から前記空気口部に至る空気通路をコンロ本体内への空気供給通路としたドロップインコンロ。
【請求項２】
前記トッププレートは、前記加熱部を配置するための前記皿状部を具備する矩形皿状の成形体とし、この成形体の前記周壁の操作部側の前面部は前記成形体の一部たる前面壁とこれに添設固定される補助壁とから構成し、前記前面壁又は補助壁の一方を空気口部を開口させた前記内壁とすると共に、前記前面壁又は補助壁の他方を外壁とした請求項１に記載のドロップインコンロ。
【請求項３】
前記加熱部をガスバーナによる加熱部とし、ガスバーナの一次空気口はコンロ本体内に収容され、前記ガスバーナへの供給ガスを制御するガスバルブを前記空気口部の近傍の前記コンロ本体内に設け、前記ガスバルブの操作軸を前記空気口部から前記二重壁の外壁に貫通突出させて、その突出端に操作つまみを取付けた請求項１又は２に記載のドロップインコンロ。
【請求項４】
前記トッププレートは、前記加熱部を配置するための皿状部が断面逆Ｕ字状の隆起周辺部によって囲まれた矩形皿状の成形体と、この成形体の前記隆起周辺部に嵌合する環状側壁部を具備する枠体から構成し、前記隆起周辺部の外周壁の全部又は一部を前記内壁又は外壁の一方とすると共に、前記環状側壁部の一部又は全部を前記内壁又は外壁の他方とした請求項１から３の何れかに記載のドロップインコンロ。
【発明の詳細な説明】
【０００１】
【発明の属する技術分野】
この発明はドロップインコンロ、特に、ドロップインコンロの本体をカウンタートップに設けた開口内に落とし込んで、前記本体を前記開口周縁部により支持するようにし、トッププレート上面に加熱部を設けたドロップインコンロに関するものである。
【０００２】
【従来の技術】
この種ドロップインコンロとして、上方開放の箱状のコンロ本体の上端周縁にフランジを張り出させ、そのフランジをカウンタートップの開口周縁に係合させてコンロ本体を前記開口内に吊り下げ、前記コンロ本体の上面をトッププレートによって被覆したものが、既に、実開昭６０−５４０１８号に開示されている。このものでは、前記トッププレートに載置された五徳に対応するようにガスバーナのバーナトップが配置され、このトッププレートの一部に前記各ガスバーナに対応する数の操作つまみが設けられている。
【０００３】
従って、ドロップインコンロ全体を前記開口内に落とし込み状態に支持させ、その状態で所定の配管接続をすることにより、トッププレートの上面側から操作できるようにドロップインコンロが設置できる利点がある。
とくに、この先行技術のものでは、トッププレートの上面の一部に前記操作つまみを配置する操作パネル部が設けられ、その手前側の側壁部に前記ガスバーナの燃焼用空気を吸引するための空気口部が設けられている。従って、この空気口部から燃焼用一次空気の殆どが供給されることとなり、コンロ本体の側壁や底壁に空気吸引用の孔部を設ける必要がないか又はごく少ないものとなり、コンロ本体の下方の空室の開閉扉が開閉したとしてもガスバーナの燃焼に悪影響が生じにくい。
【０００４】
また、コンロ本体側に空気吸引用の孔部がないか又はごく少ないことから、コンロ本体内の汚れが、前記下方の空室に落下したりする不都合がない。
ところが、この先行技術では、コンロ本体の空気吸引用の前記孔部がないこと又はごく少ないことによる前記効果を有するものの、操作パネル部の手前側には、トッププレートの側壁に前記空気口部が開口しそのまま露出することから、見苦しい外観となると共にトッププレートの掃除の際に水が侵入したりし易い。
【０００５】
【発明が解決しようとする課題】
本発明は、上記したような『カウンタートップの開口内に落とし込み状態に収容されるコンロ本体の上方域をトッププレートによって被覆し、前記トッププレートの上面側に加熱部を配置したドロップインコンロ』において、カウンタートップの上面側からコンロ本体内に十分に空気が吸引されるようにした空気口部がそのまま露出する見苦しさが解消され、しかも、トッププレートの掃除の際に前記空気口部から水が侵入する等の不都合が防止し易くなるようにすることを課題とする。
【０００６】
【課題を解決するための手段】
上記課題を解決するために講じた本発明の解決手段は『前記トッププレートの周壁の一部又は全部を内壁と外壁とからなる二重壁とし、前記二重壁のうちの内壁はその下端がカウンタートップに接すると共に前記下端よりも上方にて開口する空気口部を有する一方、前記外壁は無開口とし、前記内壁と外壁との間には、少なくとも前記空気口部の配置部の範囲に亙って所定の間隙が設けられると共に、前記外壁の下端とカウンタートップとの間には所定の間隙を設けると共に、前記各間隙から前記空気口部に至る空気通路をコンロ本体内への空気供給通路とした』ことである。
【０００７】
上記解決手段はつぎのように作用する。
二重壁の外壁下端とカウンタートップとの間隙から前記二重壁部の外壁と内壁との間隙を経て前記空気口部に至る空気通路が形成されこの空気通路からコンロ本体内に空気供給される。
例えば、ガスバーナがコンロ本体に内蔵されている場合には、前記空気通路を介して前記ガスバーナの燃焼用空気が供給される。なお、トッププレートとコンロ本体との間の空間部にはコンロ機能部が収容され前記加熱部が前記トッププレートの上面側に配置されるが、通常、前記空気口部はコンロ本体と前記トッププレートとの間の空間全体に連通している。
【０００８】
また、トッププレートの周壁の外側から前記空気口部側に水がかけられたとしても、二重壁の外壁は無開口になっているから、前記水が侵入する不都合も無い。なお、ここで無開口とは、外部に開放する孔部又はスリット等がないことを意味し、操作つまみに隠れる操作軸挿通穴が設けられることは妨げない。
また、前記空気口部は内壁の下端よりも上方に形成されているから、外壁の下端の間隙から内壁側に水が侵入したとしても、前記空気口部に達しにくい。
【０００９】
この観点からは、『前記空気口部の下端が外壁の下端よりも上方に位置する』ことが望ましい。外壁下端から水平方向に水が侵入したとしても前記空気口部には直接は達しないからである。
また空気の取り入れの観点からは、前記外壁の下端とカウンタートップとの間の間隙は前記空気口部形成域と一致するように設けられていることが望ましい。
【００１０】
【発明の効果】
本発明は、上記構成であるから次の特有の効果を有する。
二重壁の外壁は無開口になっているから、空気口部が外部に露出する見苦しさが解消できる。
また、前記空気口部の外側は、所定の間隙を開けて外壁によって遮蔽されているから、水等が前記空気口部に侵入しにくい。
【００１１】
［その他］
ａ項
上記発明において『前記トッププレートは、前記加熱部を配置するための前記皿状部を具備する矩形皿状の成形体とし、この成形体の前記周壁の操作部側の前面部は前記成形体の一部たる前面壁とこれに添設固定される補助壁とから構成し、前記前面壁又は補助壁の一方を空気口部を開口させた前記内壁とすると共に、前記前面壁又は補助壁の他方を外壁とした』ものでは、トッププレートの前記補助壁以外が一体に構成されて、これが、カウンタートップによって支持されているから、トッププレートが安定的に支持されている。
【００１２】
なお、この場合において、前記補助壁は前記成形体と一体の前面壁の外部に添設固定される場合と、逆に、前記前面壁の内部に前記補助壁が設けられる場合の何れであってもよい。前者の場合には、トッププレートの周壁の下端が全域に渡ってカウンタートップによって支持され、前記支持状態が一層安定する。
ｂ項
前記本発明の課題解決手段及び前記ａ項において『前記加熱部をガスバーナによる加熱部とし、ガスバーナの一次空気口はコンロ本体内に収容され、前記ガスバーナへの供給ガスを制御するガスバルブを前記空気口部の近傍の前記コンロ本体内に設け、前記ガスバルブの操作軸を前記空気口部から前記二重壁の外壁に貫通突出させて、その突出端に操作つまみを取付けた』ものでは、ガスバーナの一次空気が前記空気口部から吸引され、この吸引空気流がガスバルブに沿ってガスバーナの一次空気口に達する。従って、前記空気流により前記ガスバルブが空冷され、このガスバルブの過熱が確実に防止できる。
【００１３】
ｃ項
前記ａ項及び前記ｂ項において『前記トッププレートは、前記加熱部を配置するための皿状部が断面逆Ｕ字状の隆起周辺部によって囲まれた矩形皿状の成形体と、この成形体の前記隆起周辺部に嵌合する環状側壁部を具備する枠体から構成し、前記隆起周辺部の外周壁の全部又は一部を前記内壁又は外壁の一方とすると共に、前記環状側壁部の一部又は全部を前記内壁又は外壁の他方とした』ものでは、上記前面だけに限らず他の面の周壁にも空気口部を形成することもでき、特別な場合には前記トッププレートの周壁の全域に空気口部を形成することもできる。
【００１４】
前記内壁とは空気口部を具備する部分であるから、前記隆起周辺部の外周壁の一部又は全部が前記空気口部を具備する前記内壁となる。このことは、前記環状側壁部が前記外周壁の内側に位置する場合にも同様である。
【００１５】
【発明の実施の形態】
以下、本願発明の実施例の形態を、図示例と共に説明する。
図１〜４に示す実施の形態１は、トッププレート(1) の周壁(11)の前面を後方に向かって上昇する傾斜面とすると共に周壁(11)のこの部分を二重壁としたものであり、このトッププレート(1) の全体は矩形状に形成されている。
【００１６】
このトッププレート(1) は、カウンタートップ(T) に形成され且コンロ本体(3) を吊り下げ状態に収容するための開口の周縁部によってその周壁(11)が支持される構成であり、全体が矩形状に形成された成形体(1a)と前記二重壁の外壁となる補助壁としてのカバー体(1b)とからなる。
前記成形体(1a)は図１に示すように皿状部(1c)に後述のガスバーナ(5) のバーナトップ(51)を挿通させる為の一対のバーナ用開口(10)(10)が形成され、この皿状部(1c)の周囲が断面逆Ｕ字状の隆起周辺部(110) となり、その外周側のスカート壁が前記周壁(11)を構成するようにしたものである。そして、前記隆起周辺部(110) の前辺側は他の辺よりも大きく隆起している。
【００１７】
前記スカート壁は前記カウンタートップ(T) から隆起し内側に向かって上昇する傾斜面となっており、その下端(11a) が前記コンロ本体(3) を吊り下げ支持する為のフランジ(31)の外側に位置するようにカウンタートップ(T) によって支持されている。前記フランジ(31)の支持部の水密を確保するため前記フランジ(31)にはこの断面を表裏に亙って包囲するように、シール用パッキン(P) が装着され、フランジ(31)とカウンタートップ(T) の上面との間に前記シール用パッキンが介在されている。
【００１８】
前記トッププレート(1) の上面の皿状部(1c)のほぼ全域に五徳(4) が載置されている。そして、この皿状部(1c)に形成されるバーナ用開口(10)(10)との関係で前記五徳(4) の平面形状が決定されている。
ガスバーナ(5) のバーナトップ(51)の外周と前記バーナ用開口(10)(10)との間隙は十分な大きさに設定され、図２のように、前記バーナトップ(51)に嵌着されたバーナリング(52)が前記間隙の上方域を覆っている。しかしながら、前記バーナリング(52)の周縁部と皿状部(1c)との間には燃焼用二次空気の一部を供給する為の又は空冷用空気供給の為の空気通路となる所定の環状間隙(G1)があり、皿状部(1c)の下方の空間は前記間隙を介して皿状部(1c)の上方域に連通している。当然ながら、前記バーナリング(52)は、前記環状間隙(G1)が生じるように支持される。このためには、例えば、前記バーナトップによって支持されるか、又は、皿状部(1c)と部分的に接触する態様で支持される。
【００１９】
周壁(11)における前記二重壁は、図２、３に示す様に、前記成形体(1a)の前面操作部側に形成された内壁としての前面壁(111) とその前方に所定の間隙(G3)を開けて取付けられた外壁としてのカバー体(1b)とから構成される。そして、前記前面壁(111) には、その中程の位置に、成形体(1a)の前面の長手方向に沿って横長の空気口部(20)が形成されている。
【００２０】
前記カバー体(1b)は無開口に形成されているが、前記複数のガスバーナ(5) (5) と相応するだけの数のガスバルブ(53)(53)が前記コンロ本体(3) 内で前記空気口部(20)の近傍に内蔵されており、その操作軸が前記空気口部(20)から前記カバー体(1b)の操作軸穴(24)に貫通している。そしてこの操作軸穴(24)から外部に突出した操作軸部に操作つまみ(25)が取外可能に取付けられている。
【００２１】
なお、前記カバー体(1b)は、図４のように、前方に膨らんだ扁平な成形体で、上辺部及び左右辺部の夫々に設けられた複数の舌片(13)(13)が夫々対応するカシメ孔に挿通されて、図３のように、前記前面壁(111) の周縁部にカシメ止めされ、前記前面壁(111) から所定の間隙(G3)を置いて前方に浮き上がっている。また、前記カバー体(1b)の下辺は前記前面壁(111) の下端よりも上方に位置するように設定されており、この例では、前記前面壁(111) に形成された空気口部(20)の下端よりも下位で且カウンタートップ(T) の上面とは所定の間隙(G2)を有するように設定されている。
【００２２】
従って、この実施の形態１では、前記間隙(G2)から前面壁(111) とカバー体(1b)との間の間隙(G3)、更には、空気口部(20)を介して、ガスバーナ(5) の一次空気口部に達する空気供給経路が形成されたものとなり、この空気供給経路中に前記ガスバルブ(53)が位置するものとなっている。このことから前記ガスバーナ(5) が燃焼状態になると、前記空気供給経路を経て前記一次空気口部に吸引される空気流が前記ガスバルブ(53)に沿って流れることとなり、この空気流により前記ガスバルブ(53)が空冷される。
［実施の形態２について］
この実施の形態２のトッププレート(1) は、図５〜７のように、前記皿状部(1c)の外周を隆起周辺部(110) とした成形体(1a)と、これに外嵌する枠体(2) とからなる。前記成形体(1a)の皿状部(1c)には図５、６に示すようにガスバーナー(5) のバーナートップ(51)を貫通させる一対のバーナ用開口(10)(10)が開口している。また、前記隆起周辺部(110) の外周のスカート壁はすべてが内側に向かって上昇する傾斜壁となっており、各辺の前記スカート壁には空気口部(20)が形成されて、成形体(1a)の下方の空間に連通している。前記枠体(2) は前記傾斜壁と平行な環状側壁(21)と、その上端から内側に張り出すフランジ部(22)とからなる。この枠体(2) の大きさを前記成型体(1a)よりも一回り大きくすると共に、前記フランジ部(22)が成形体(1a)の隆起周辺部(110) の頂部(12)の近傍の前記スカート壁に支持されるように外嵌止着すると、図６、７のように、周壁(11)は、環状の前記スカート壁と前記環状側壁(21)との間に所定の間隙(G3)を有する構成であり、しかも、前記環状側壁(21)の下端とカウンタートップ(T) との間に間隙(G2)が設けられたものとなる。この枠体(2) の止着構造としては、実施の形態１と同様に、前記フランジ部(22)の内周端から突出させた舌片を前記トッププレート(1) に設けた係止穴にカシメ止めする方式を採用してもよいが、この例では、図７のように、前記成形体の隆起周辺部(110) の前記環状のスカート壁の上部に環状段部(113) を設け、この環状段部(113) に前記フランジ部(22)がスポット溶接によって接合されている。
【００２３】
また前記環状のスカート壁の前面側たる前面壁(111) に操作つまみ(25)(25)が設けられ、環状側壁(21)と所定の間隙(G3)を開けて設けられる前面壁(111) の空気口部(20)の近傍に位置するようにガスバルブ(53)がコンロ本体(3) 内に内蔵され、これに対応する形でガスバーナー(5)(5)が設けられていることは実施の形態１と同様である。この例では、トッププレート(1) の隆起周辺部(110) の全域から燃焼用空気をコンロ本体(3) 内に導入できるからコンロ本体(3) には空気供給口を設けなくても二つのガスバーナー(5)(5)が良好に燃焼する。この場合、空気口部(20)(20)から供給される空気の一部はガスバーナー(5)(5)の一次空気を賄い、他の一部は燃焼用二次空気の一部または全部となる。
［その他］
上記実施の形態２では、矩形状のトッププレート(1) の周壁(11)の各辺に空気口部(20)を設けたが、前記前面壁(111) と他の辺の一部に空気口部(20)を形成するようにしてもよい。
【００２４】
また、実施の形態１及び２において、空気口部(20)は上記実施の形態のように、各辺の周壁(11)に横長の大きな単一の空気口部(20)を形成する以外に、複数の空気口部(20)(20)を連続させる構成としてもよい。
なお、上記実施の形態は、ドロップイン式のガスコンロに本発明を実施したものであるが、この場合において、コンロ本体(3) 内に収容されるガスバーナ(5) (5) の一次空気の全てを１又は複数の前記空気口部(20)から吸引できるようにすれば、コンロ本体(3) の構成壁に空気吸引用孔部を設ける必要はない。
【００２５】
また、ドロップイン式の電気コンロにも本発明は実施可能である。この場合、前記空気口部(20)から吸引される空気はコンロ本体(3) 内を空冷するように作用する。
さらに、上記二重壁はトッププレート(1) の成形体(1a)の前記スカート壁が前記空気口部(20)を具備する内壁となる構成とは逆に、図８に示す様に、成形体(1a)のスカート壁が前記前面壁となって、補助壁となる内カバー(112) を別体にして、成形体(1a)の前面壁(111) とほぼ平行に配置した前記内カバー(112) の上端を頂部(12)の下面にスポット溶接して二重壁を構成してもよい。
【００２６】
なお、上記実施の形態では、空気口部(20)にガスバルブ(53)の操作軸を挿通させたが、操作軸挿通の為の専用の孔部を前記内壁に設けるようにすることも可能である。
【図面の簡単な説明】
【図１】本発明の実施の形態１に用いるトッププレート(1) の成形体(1a)の斜視図
【図２】本発明の実施の形態１の断面図
【図３】カバー体(1a)を取付けた操作部の詳細断面図
【図４】カバー体(1a)の斜視図
【図５】本発明の実施の形態２のトッププレート(1) の分解斜視図
【図６】本発明の実施の形態２の断面図
【図７】成形体(1a)と枠体(2) の結合構造の断面図
【図８】成形体(1a)の内側に補助壁を設けた例の説明図
【符号の説明】
(1) ：トッププレート、(11)：周壁、(12)：頂部、二重壁、(111) ：前面壁
(1b)：カバー体、(20)空気口部、(T) ：カウンタートップ、(20)：空気口部
(21)：側壁、(22)：フランジ、(24)：操作軸穴、(25)：操作つまみ
(3) ：コンロ本体、(31)：フランジ、(4) ：五徳  (10)：バーナ用開口
(5) ：ガスバーナ、(51)：バーナトップ、(52)：バーナリング、
(53)：ガスバルブ、(112) ：内カバー、(P) ：シール用パッキン              (110) ：隆起周辺部、(1a)：成形体、(1b)：皿状部、(G) ：間隙
（尚、各図中同一符号は同一又は相当部分を示す。）
【図１】
0003754202.tif 000002
【図２】
0003754202.tif 000003
【図３】
0003754202.tif 000004
【図４】
0003754202.tif 000005
【図５】
0003754202.tif 000006
【図６】
0003754202.tif 000007
【図７】
0003754202.tif 000008
【図８】
0003754202.tif 000009